(57)【要約】【課題】上下方向に直列配置された保留ホッパ及び挿入ホッパを有する薬剤分包装置において、前記保留ホッパ内の残留薬剤を有効に除去することを、一の目的とする。【解決手段】薬剤を一時的に保留可能とされた前記保留ホッパを前記挿入ホッパの上方に位置する分包位置と、該分包位置から側方へ移動された回避位置との間で移動可能とすると共に、回避位置に位置する前記保留ホッパに対してエアを吹き付けつつ、吸引し得るように構成する。【選択図】  図３
2005041512.tif 000002
【特許請求の範囲】
【請求項１】
所定量の薬剤を供給可能な薬剤供給機構と、該薬剤供給機構から供給される前記所定量の薬剤を長尺の分包紙を用いて包装する薬剤包装機構とを備えた薬剤分包装置であって、
上端及び下端が開口とされ、前記所定量の薬剤を前記長尺分包紙へ投入する挿入ホッパと、
上端及び下端が開口とされると共に、該下端開口を開閉可能なバルブが設けられた保留ホッパと、
前記保留ホッパを前記挿入ホッパの上方の分包位置と、該分包位置から側方へ移動された回避位置との間で移動させる移動機構と、
前記保留ホッパの内部を吸引可能な保留ホッパ用吸引機構と、
前記保留ホッパの内部へエアを吹き付け可能な保留ホッパ用エア供給機構とを備え、
前記保留ホッパ用吸引機構は、吸引装置と、一端部が該吸引装置に連通され且つ他端部が回避位置に位置する前記保留ホッパの内部に連通される保留ホッパ用ダクトとを有し、
前記保留ホッパ用エア供給機構は、エア供給装置と、回避位置に位置する前記保留ホッパの上端開口を閉塞する蓋部材と、前記エア供給装置から供給されるエアを回避位置に位置する前記保留ホッパの内部へ、該保留ホッパ又は前記蓋部材の少なくとも何れか一方に設けられた開口を介して吹き付けるノズルとを有していることを特徴とする薬剤分包装置。
【請求項２】
前記挿入ホッパの内部を吸引可能な挿入ホッパ用吸引機構をさらに備え、
前記挿入ホッパ用吸引機構は、吸引装置と、一端部が該吸引装置に連通された固定ダクトと、前記保留ホッパと共に移動する移動ダクトとを有しており、
前記移動ダクトは、前記保留ホッパが分包位置に位置する際に、一端部が前記固定ダクトの他端部に連通され且つ他端部が前記挿入ホッパの内部に連通するように構成されていることを特徴とする請求項１に記載の薬剤分包装置。
【請求項３】
前記保留ホッパに対して外方から振動を与える保留ホッパ用振動機構をさらに備え、
前記保留ホッパ用振動機構は、前記保留ホッパと共に移動するように構成されていることを特徴とする請求項１又は２に記載の薬剤分包装置。
【請求項４】
前記挿入ホッパに対して外方から振動を与える挿入ホッパ用振動機構をさらに備えていることを特徴とする請求項１から３の何れかに記載の薬剤分包装置。
【請求項５】
所定量の薬剤を供給可能な薬剤供給機構と、
該薬剤供給機構から供給される前記所定量の薬剤を長尺の分包紙を用いて包装する薬剤包装機構と、
上端及び下端が開口とされ、前記所定量の薬剤を前記長尺分包紙へ投入する挿入ホッパと、
上端及び下端が開口とされると共に、該下端開口を開閉可能なバルブが設けられた保留ホッパと、
前記保留ホッパを前記挿入ホッパの上方の分包位置及び該分包位置から側方へ移動された回避位置の間で移動させる移動機構と、
回避位置に位置する前記保留ホッパの内部を吸引可能な保留ホッパ用吸引機構であって、吸引装置と、一端部が該吸引装置に連通され且つ他端部が回避位置に位置する前記保留ホッパの内部に連通される保留ホッパ用ダクトとを有する保留ホッパ用吸引機構と、
回避位置に位置する前記保留ホッパの内部へエアを吹き付け可能な保留ホッパ用エア供給機構であって、エア供給装置と、回避位置に位置する前記保留ホッパの上端開口を閉塞する蓋部材と、前記エア供給装置から供給されるエアを回避位置に位置する前記保留ホッパの内部へ、該保留ホッパ又は前記蓋部材の少なくとも何れか一方に設けられた開口を介して吹き付けるノズルとを有する保留ホッパ用エア供給機構と、
各部材の制御を司る制御装置とを備え、
前記制御装置は、ホッパ清掃信号が入力されると、前記バルブによって下端開口が閉塞された状態の前記保留ホッパを前記移動機構によって回避位置へ移動させてから、前記保留ホッパ用エア供給機構によって前記保留ホッパの内部にエアを吹き付けつつ、前記保留ホッパ用吸引機構によって該保留ホッパの内部を吸引させる第１吸塵動作を行わせるように構成されていることを特徴とする薬剤分包装置。
【請求項６】
前記挿入ホッパの内部を吸引可能な挿入ホッパ用吸引機構であって、吸引装置と、一端部が該吸引装置に連通された固定ダクトと、前記保留ホッパと共に移動する移動ダクトとを有する挿入ホッパ用吸引機構と、
前記保留ホッパに対して外方から振動を与える保留ホッパ用振動機構であって、前記保留ホッパと共に移動するように構成された保留ホッパ用振動機構と、
を、さらに備え、
前記移動ダクトは、前記保留ホッパが分包位置に位置する際に、一端部が前記固定ダクトの他端部に連通され且つ他端部が前記挿入ホッパの内部に連通するように構成されており、
前記制御部は、前記第１吸塵工程の後に、前記保留ホッパを分包位置に移動させ、前記挿入ホッパ用吸引機構によって前記挿入ホッパの内部を吸引しつつ、前記保留ホッパ用振動機構を作動させ且つ前記バルブを開放する第２吸塵工程を行うように構成されることを特徴とする請求項５に記載の薬剤分包装置。
【発明の詳細な説明】
【０００１】
【発明の属する技術分野】
本発明は、薬剤供給機構及び薬剤包装機構を有する薬剤分包装置に関する。
【０００２】
【従来の技術】
薬剤分包装置は、薬剤供給機構によって供給される所定量の薬剤を、該薬剤供給機構の下方に配置された薬剤包装機構によって包装し得るように構成されている。
詳しくは、前記薬剤分包装置は、前記薬剤供給機構から供給される薬剤を受け入れ、且つ、前記薬剤包装機構とのタイミング調整を行えるように該薬剤を一時的に保留可能な保留ホッパと、該保留ホッパの下方に配設され、前記保留ホッパから落下される薬剤を分包紙の所定部位へ案内する挿入ホッパとを備えている。
【０００３】
ところで、前記薬剤分包装置は、処方箋に応じた種々の薬剤を分包し得るように構成されている。即ち、前記薬剤分包装置の薬剤供給機構からは異なる薬剤が供給され得るようになっている。
これに対し、前記薬剤供給機構から供給される薬剤の通過経路を形成する前記保留ホッパ及び前記挿入ホッパは、種々の薬剤に対して共通である。
従って、一の薬剤の分包作業を行った後に、他の薬剤の分包作業を行う場合等においては、前記保留ホッパ及び前記挿入ホッパに付着した前記一の薬剤を除去する必要がある。
【０００４】
このような点に鑑み、ホッパ内の残留薬剤を除去するクリーナー装置が提案されている（例えば、特許文献１参照）。
詳しくは、該該特許文献１に記載のクリーナー装置は、ホッパの上方開口部を開閉可能な開閉部材と、該開閉部材による閉塞時に前記ホッパと吸引とを連通する連通路とを備えており、前記開閉部材によって前記ホッパの上方開口部を閉塞させつつ前記ホッパの下端バルブを僅かに開放させながら前記吸引装置によってホッパ内部を吸引するように構成されている。
【０００５】
前記従来のクリーナー装置は、前記ホッパの下端バルブを僅かに開放させつつ吸引装置によって吸引することで、該ホッパの内部に下端開口から上端開口への空気流れを形成し、該空気流れによって、該ホッパ内の残留薬剤を除去し得るようになっている。
しかしながら、該従来のクリーナー装置においては、前記空気流れが下端開口から上端開口への一定方向である為、ホッパ内の特定部位に薬剤が残留した場合には、該残留薬剤を十分に除去し難いおそれがあった。
【０００６】
また、薬剤分包装置は、前述の通り、上下方向に直列配置された保留ホッパ及び挿入ホッパを有している。
該保留ホッパ及び挿入ホッパは何れも薬剤の落下経路となるから、両ホッパ共に吸塵を行う必要があるが、前記特許文献１には、上下方向に直列配置された複数のホッパに対してどのように吸塵を行うかについては全く記載されていない。
【０００７】
【特許文献１】
特開２０００−２０３５０１号公報
【０００８】
【発明が解決しようとする課題】
本発明は、前記問題点に鑑みなされたものであり、上下方向に直列配置された保留ホッパ及び挿入ホッパを有する薬剤分包装置において、前記保留ホッパ内の残留薬剤を有効に除去することを、一の目的とする。
また、本発明は、前記薬剤分包装置において、前記挿入ホッパ内に残留薬剤をも有効に除去することを、他の目的とする。
【０００９】
【課題を解決するための手段】
本発明は、前記目的を達成するために、所定量の薬剤を供給可能な薬剤供給機構と、該薬剤供給機構から供給される前記所定量の薬剤を長尺の分包紙を用いて包装する薬剤包装機構とを備えた薬剤分包装置であって、上端及び下端が開口とされ、前記所定量の薬剤を前記長尺分包紙へ投入する挿入ホッパと、上端及び下端が開口とされると共に、該下端開口を開閉可能なバルブが設けられた保留ホッパと、前記保留ホッパを前記挿入ホッパの上方の分包位置と、該分包位置から側方へ移動された回避位置との間で移動させる移動機構と、前記保留ホッパの内部を吸引可能な保留ホッパ用吸引機構と、前記保留ホッパの内部へエアを吹き付け可能な保留ホッパ用エア供給機構とを備え、前記保留ホッパ用吸引機構は、吸引装置と、一端部が該吸引装置に連通され且つ他端部が回避位置に位置する前記保留ホッパの内部に連通される保留ホッパ用ダクトとを有し、前記保留ホッパ用エア供給機構は、エア供給装置と、回避位置に位置する前記保留ホッパの上端開口を閉塞する蓋部材と、前記エア供給装置から供給されるエアを回避位置に位置する前記保留ホッパの内部へ、該保留ホッパ又は前記蓋部材の少なくとも何れか一方に設けられた開口を介して吹き付けるノズルとを有している薬剤分包装置を提供する。
【００１０】
好ましくは、前記挿入ホッパの内部を吸引可能な挿入ホッパ用吸引機構をさらに備えることができる。
前記挿入ホッパ用吸引機構は、吸引装置と、一端部が該吸引装置に連通された固定ダクトと、前記保留ホッパと共に移動する移動ダクトとを有しており、前記移動ダクトは、前記保留ホッパが分包位置に位置する際に、一端部が前記固定ダクトの他端部に連通され且つ他端部が前記挿入ホッパの内部に連通するように構成される。
【００１１】
又、前記保留ホッパに対して外方から振動を与える保留ホッパ用振動機構をさらに備えることができる。
前記保留ホッパ用振動機構は、前記保留ホッパと共に移動するように構成される。
【００１２】
前記種々の態様において、好ましくは、前記挿入ホッパに対して外方から振動を与える挿入ホッパ用振動機構をさらに備えることができる。
【００１３】
又、本発明は、前記目的を達成する為に、所定量の薬剤を供給可能な薬剤供給機構と、該薬剤供給機構から供給される前記所定量の薬剤を長尺の分包紙を用いて包装する薬剤包装機構と、上端及び下端が開口とされ、前記所定量の薬剤を前記長尺分包紙へ投入する挿入ホッパと、上端及び下端が開口とされると共に、該下端開口を開閉可能なバルブが設けられた保留ホッパと、前記保留ホッパを前記挿入ホッパの上方の分包位置及び該分包位置から側方へ移動された回避位置の間で移動させる移動機構と、回避位置に位置する前記保留ホッパの内部を吸引可能な保留ホッパ用吸引機構であって、吸引装置と、一端部が該吸引装置に連通され且つ他端部が回避位置に位置する前記保留ホッパの内部に連通される保留ホッパ用ダクトとを有する保留ホッパ用吸引機構と、回避位置に位置する前記保留ホッパの内部へエアを吹き付け可能な保留ホッパ用エア供給機構であって、エア供給装置と、回避位置に位置する前記保留ホッパの上端開口を閉塞する蓋部材と、前記エア供給装置から供給されるエアを回避位置に位置する前記保留ホッパの内部へ、該保留ホッパ又は前記蓋部材の少なくとも何れか一方に設けられた開口を介して吹き付けるノズルとを有する保留ホッパ用エア供給機構と、各部材の制御を司る制御装置とを備えた薬剤分包装置を提供する。
前記制御装置は、ホッパ清掃信号が入力されると、前記バルブによって下端開口が閉塞された状態の前記保留ホッパを、前記移動機構によって回避位置へ移動させてから、前記保留ホッパ用エア供給機構によって前記保留ホッパの内部にエアを吹き付けつつ、前記保留ホッパ用吸引機構によって該保留ホッパの内部を吸引させる第１吸塵動作を行わせるように構成される。
【００１４】
好ましくは、前記挿入ホッパの内部を吸引可能な挿入ホッパ用吸引機構であって、吸引装置と、一端部が該吸引装置に連通された固定ダクトと、前記保留ホッパと共に移動する移動ダクトとを有する挿入ホッパ用吸引機構と、前記保留ホッパに対して外方から振動を与える保留ホッパ用振動機構であって、前記保留ホッパと共に移動するように構成された保留ホッパ用振動機構とをさらに備えることができる。
前記移動ダクトは、前記保留ホッパが分包位置に位置する際に、一端部が前記固定ダクトの他端部に連通され且つ他端部が前記挿入ホッパの内部に連通するように構成される。
斯かる態様において、前記制御部は、前記第１吸塵工程の後に、前記保留ホッパを分包位置に移動させ、前記挿入ホッパ用吸引機構によって前記挿入ホッパの内部を吸引しつつ、前記保留ホッパ用振動機構を作動させ且つ前記バルブを開放する第２吸塵工程を行うように構成される。
【００１５】
【発明の実施の形態】
以下に、本発明に係る薬剤分包装置の好ましい一実施の形態について、添付図面を参照しつつ説明する。
図１に、本実施の形態に係る薬剤分包装置の概略斜視図を示す。
【００１６】
図１に示すように、前記薬剤分包装置１は、所定量の薬剤を供給可能な薬剤供給機構２００と、該薬剤供給機構２００から供給される前記所定量の薬剤を長尺の分包紙２５０を用いて包装する薬剤包装機構３００と、前記薬剤供給機構２００の下方に配設された保留ホッパ１０と、前記保留ホッパ１０の下方に配設された挿入ホッパ２０と、前記保留ホッパ１０を前記挿入ホッパ２０の上方の分包位置及び該分包位置から側方へ移動された回避位置の間で移動させる移動機構（図示せず）とを備えている。
【００１７】
図２に、前記保留ホッパ１０及び前記挿入ホッパ２０近傍の部分拡大正面図を示す。
図２に示すように、前記保留ホッパ１０は上端及び下端が開口とされており、前記薬剤供給機構から供給される所定量の薬剤を上端開口１０ａを介して受け入れ、且つ、下端開口１０ｂから下方へ落下させ得るようになっている。
詳しくは、前記保留ホッパ１０は、下端開口１０ｂを開閉するバルブ１１を有しており、前記薬剤供給機構２００（図２においては図示せず）から供給される薬剤を内部に一時的に保留し、下方に配置されている前記薬剤包装機構３００（図２においては図示せず）とのタイミング調整を行えるようになっている。
なお、前記薬剤供給機構２００が散薬供給部及び錠剤供給部を有する場合には、前記保留ホッパ１０は、好ましくは、内部空間を散薬用空間及び錠剤用空間に区画し得る。
【００１８】
前記挿入ホッパ２０は、上端及び下端が開口とされており、前記保留ホッパ１０から供給される薬剤を分包紙２５０の所定部位へ案内すると共に、前記保留ホッパ１０が分包位置及び回避位置の間で移動することを許容し得るように構成されている。
【００１９】
本実施の形態においては、前記挿入ホッパ２０の上端開口２０ａが、前記保留ホッパ１０の下端開口１０ｂを受け入れるようになっている。
なお、斯かる構成において、前記保留ホッパ１０の回避位置への移動を許容する為に、前記挿入ホッパ２０の一側壁には切り欠き（図示せず）が設けられている。
【００２０】
前記挿入ホッパ２０の下端開口２０ｂは、分包紙２５０によって画される収容部内に突入されている。
詳しくは、前記薬剤包装機構３００は、長尺の分包紙２５０を用いて、所定薬剤が内包された包装体２６０を形成し得るようになっている。
図示の形態においては、薬剤包装機構３００は、長手方向に沿った中心線で２つ折りされた長尺分包紙２５０を、ヒートシール部３１０でヒートシールすることにより、前記包装体２６０を形成するように構成されている。
そして、前記挿入ホッパ２０の下端開口２０ｂは、前記２つ折りされた長尺分包紙２５０の開口縁部から重合領域内へ突入されている。
【００２１】
図３に、前記保留ホッパ１０が回避位置に位置された状態の部分拡大正面図を示す。
前記移動機構は、図示しない駆動源からの駆動力によって、前記保留ホッパ１０を図２に示す分包位置から図３に示す回避位置へ移動させるように構成されている。
【００２２】
本実施の形態に係る薬剤分包装置１は、前記構成に加えて、前記保留ホッパ１０の内部を吸引可能な保留ホッパ用吸引機構３０と、前記保留ホッパ１０の内部へエアを吹き付け可能な保留ホッパ用エア供給機構４０とを備えている。
【００２３】
前記保留ホッパ用吸引機構３０は、吸引装置（図示せず）と、一端部が該吸引装置に連通され且つ他端部が回避位置に位置する前記保留ホッパ１０の内部に連通される保留ホッパ用ダクト３１とを有している。
なお、図示の形態においては、前記保留ホッパ用ダクト３１の他端部は、前記保留ホッパ１０の一側面に設けられた切り欠き（図示せず）を介して、回避位置に位置する保留ホッパ１０の内部に連通するようになっている。
【００２４】
前記保留ホッパ用エア供給機構４０は、エア供給装置（図示せず）と、回避位置に位置する前記保留ホッパ１０の上端開口１０ａを閉塞する蓋部材４１と、前記エア供給装置から供給されるエアを回避位置に位置する前記保留ホッパ１０の内部へ、該保留ホッパ１０の周壁又は前記蓋部材４１の少なくとも何れか一方に設けられた開口４２を介して吹き付けるノズル４３とを有している。
【００２５】
前記蓋部材４１は、回避位置に位置する前記保留ホッパ１０の上端開口１０ａを実質的に閉塞する限り、種々の形態をとり得る。
図示の形態においては、前記蓋部材４１として、薬剤分包装置１の機体フレーム２の一部を用いている。
【００２６】
前記ノズル４３は、前記機体フレーム２に実質的に固定設置されており、前記保留ホッパ１０が回避位置に移動された際に、該保留ホッパ１０の内部にエアを吹き付け得るようになっている。
図示の形態においては、前記蓋部材４１を構成する前記機体フレーム２の一部に開口４２が形成されており、該開口４２を介して前記ノズル４３から前記保留ホッパ１０内にエアが供給されるようになっている。
【００２７】
好ましくは、前記薬剤分包装置１は、前記挿入ホッパ２０の内部を吸引可能な挿入ホッパ用吸引機構５０をさらに備えることができる。
前記挿入ホッパ用吸引機構５０は、吸引装置（図示せず）と、一端部が該吸引装置に連通された固定ダクト５１と、前記保留ホッパ１０と共に移動する移動ダクト５２とを有し得る。
前記移動ダクト５２は、前記保留ホッパ１０が分包位置に位置する際に、一端部が前記固定ダクト５１の他端部に連通され且つ他端部が前記挿入ホッパ２０の内部に連通するように構成される。
【００２８】
このように、前記挿入ホッパ２０の内部と前記吸引装置とを連通する挿入ホッパ用ダクトの一部を前記保留ホッパ１０と共に移動する移動ダクト５２とすることにより、該保留ホッパ１０が分包位置及び回避位置の間で移動する際に、挿入ホッパ用ダクト３１と干渉することを有効に防止できる。
【００２９】
又、より好ましくは、前記薬剤分包装置１は、前記保留ホッパ１０に対して外方から振動を与える保留ホッパ用振動機構６０、及び／又は、前記挿入ホッパ２０に対して外方から振動を与える挿入ホッパ用振動機構７０をさらに備えることができる。
斯かる保留ホッパ用振動機構６０及び／又は挿入ホッパ用振動機構７０を備えることにより、ホッパ１０，２０の内面に付着した残留薬剤を該ホッパ内面から脱離させることができる。
なお、前記保留ホッパ用振動機構６０は前記保留ホッパ１０と共に移動するように構成される。
【００３０】
斯かる構成の薬剤分包装置１は、前記各部材の制御を司る制御装置（図示せず）にホッパ清掃信号が入力されると、下記第１吸塵動作を行うように構成されている。
即ち、前記制御装置にホッパ清掃信号が入力されると、該制御装置は、前記移動機構を作動させて、前記バルブ１１によって下端開口が閉塞された状態の前記保留ホッパ１０を分包位置（図２）から回避位置（図３）へ移動させる。
その後、前記制御装置は、前記保留ホッパ用エア供給機構４０及び前記保留ホッパ用吸引機構３０を作動させる。これにより、前記保留ホッパ１０は、上端開口１０ａ及び下端開口１０ｂがそれぞれ前記閉塞部材４１及びバルブ１１によって実質的に閉塞された状態で、前記保留ホッパ用エア供給機構４０によって内部にエアが吹き付けられつつ、前記保留ホッパ用吸引機構３０によって吸引される。
【００３１】
斯かる薬剤分包装置においては、前記保留ホッパ用エア供給機構４０から供給されるエアによって前記保留ホッパ１０の内面に付着している残留薬剤が飛ばされ、且つ、前記保留ホッパ用吸引機構３０によって吸引除去される。従って、該保留ホッパ１０内の残留薬剤を有効に清掃することができる。
又、実質的に閉塞された状態の前記保留ホッパ１０に対して、エアを吹き付けつつ、吸引する為、保留ホッパ１０の内部には種々の方向の空気流れが形成され、該保留ホッパ１０の内面全域を有効に清掃することができる。
【００３２】
さらに、前記挿入ホッパ用吸引機構５０及び前記保留ホッパ用振動機構６０を備える態様においては、前記第１吸塵動作の後に、下記第２吸塵動作を行うように構成される。
即ち、前記第１吸塵動作が終了すると、前記制御装置は、前記移動機構を作動させて、前記保留ホッパ１０を回避位置から分包位置に移動させる。そして、該制御装置は、前記挿入ホッパ用吸引機構５０を作動させて前記挿入ホッパ２０の内部を吸引しつつ、前記保留ホッパ用振動機構６０を作動させ且つ前記バルブ１１を開放する（図４参照）。
斯かる第２吸塵動作を行うことにより、第１吸塵動作では除去しきれなかった保留ホッパ１０内の残留薬剤を有効に除去しつつ、且つ、挿入ホッパ２０内の残留薬剤をも同時に除去することができる。
【００３３】
なお、前記挿入ホッパ用振動機構７０を備える態様においては、前記挿入ホッパ用吸引機構５０によって前記挿入ホッパ２０内を吸引する際に、該挿入ホッパ用振動機構５０によって挿入ホッパ２０を振動させることができる。
【００３４】
【発明の効果】
以上のように、本発明によれば、挿入ホッパの上方に配置された保留ホッパであって、薬剤供給機構から供給される薬剤を一時的に保留可能とされた保留ホッパを、前記挿入ホッパの上方に位置する分包位置と、該分包位置から側方へ変位された回避位置との間で移動可能とし、且つ、回避位置に位置する前記保留ホッパに対してエアを吹き付けつつ、吸引し得るように構成したので、前記保留ホッパ内の残留薬剤を有効に除去することができる。
【００３５】
又、吸引装置と、一端部が該吸引装置に連通された固定ダクトと、前記保留ホッパと共に移動する移動ダクトとを有する挿入ホッパ用吸引機構をさらに備え、前記移動ダクトが、前記保留ホッパが分包位置に位置する際に、一端部が前記固定ダクトの他端部に連通され且つ他端部が前記挿入ホッパの内部に連通するように構成すれば、前記保留ホッパの分包位置及び回避位置間の移動動作を阻害することなく、前記挿入ホッパ内の残留薬剤を有効に除去することができる。
【図面の簡単な説明】
【図１】図１は、本発明の一実施の形態に係る薬剤分包装置の概略斜視図である。
【図２】図２は、図１に示す薬剤分包装置における保留ホッパ及び挿入ホッパ近傍の部分拡大正面図であり、該保留ホッパが分包位置に位置する状態を示している。
【図３】図３は、図１に示す薬剤分包装置における保留ホッパ及び挿入ホッパ近傍の部分拡大正面図であり、該保留ホッパが回避位置に位置する状態を示している。
【図４】図４は、図１に示す薬剤分包装置における保留ホッパ及び挿入ホッパ近傍の部分拡大正面図であり、該保留ホッパが分包位置に位置し且つ下端バルブが開放された状態を示している。
【符号の説明】
１          薬剤分包装置
１０        保留ホッパ
１１        バルブ
２０        挿入ホッパ
３０        保留ホッパ用吸引機構
３１        保留ホッパ用ダクト
４０        保留ホッパ用エア供給機構
４１        蓋部材
４３        ノズル
５０        挿入ホッパ用吸引機構
５１        固定ダクト
５２        移動ダクト
６０        保留ホッパ用振動機構
７０        挿入ホッパ用振動機構
２００      薬剤供給機構
３００      薬剤包装機構
【図１】
2005041512.tif 000003
【図２】
2005041512.tif 000004
【図３】
2005041512.tif 000005
【図４】
2005041512.tif 000006